(57)【要約】【課題】外壁工事等において使用頻度の高いハンマー等の打撃用工具だけで足場の筒状支柱に取付・解除操作を行うことができる安全ネット支持アーム体を提供すること。【解決手段】安全ネットを支持するために足場に取り付ける安全ネット支持アーム体であって、上下方向に開口させて足場に突設した係止受け部材に係脱自在に係止するくさび状の係止部材と、係止部材に連設した支持部材と、支持部材に基端部が支持されて安全ネットを直接支持するアーム部材と、支持部材に基端部を連設して筒状支柱に先端部が当接する当接部材とを具備する。【選択図】図４
2013036273.tif 000002
【特許請求の範囲】
【請求項１】
安全ネットを支持するために足場の支柱に取り付ける安全ネット支持アーム体であって、
上下方向に開口させて支柱に突設した係止受け部材に係脱自在に係止するくさび状の係止部材と、係止部材に連設した支持部材と、支持部材に基端部が支持されて安全ネットを直接支持するアーム部材と、支持部材に基端部を連設して支柱に先端部が当接する当接部材とを具備することを特徴とする安全ネット支持アーム体。
【請求項２】
係止部材の下端からその直下方に配設した当接部材の中途部までの間隔を係止受け部材の上下幅よりも小となして、
係止受け部材と当接部材との干渉を回避すべく、係止受け部材に係止部材の下端部を斜め上方向から嵌入させるとともに、係止部材の軸線方向を係止受け部材の軸線方向と整合させように姿勢変更することで、係止受け部材の直下方位置に当接部材を配置して、かかる状態にて係止受け部材に係止部材の残余部を嵌入させて係止することを特徴とする請求項１記載の安全ネット支持アーム体。
【請求項３】
支持部材の背面側に上下方向に軸線を向けた枢軸を枢支し、枢軸に係止部材と当接部材を連設して、支持部材に支持されたアーム部材を枢軸の軸線廻りに姿勢変更可能となしたことを特徴とする請求項１又は２記載の安全ネット支持アーム体。
【発明の詳細な説明】
【技術分野】
【０００１】
本発明は、安全ネット支持アーム体、詳しくは建造物の外壁と、その外壁の修理や塗装等を行うために組み立てた足場との間に張設する安全ネットを支持するアーム体に関する。
【背景技術】
【０００２】
例えば、建造物の外壁工事を行う際には、その外壁に近接させて足場が組まれている。そして、足場と外壁との間には一定間隔（例えば、３０〜５０cm）の空間が保持されて、その空間内に帯状の安全ネットが張設されている。この際、帯状に伸延する安全ネットの中途部は、足場に片持ち支持されて外壁側に伸延する安全ネット支持アーム体により下方から支持されている（特許文献１参照）。
【０００３】
特許文献１に開示された安全ネット支持アーム体は、直状に伸延して安全ネットを直接支持するアーム部材と、アーム部材の基端部を支持する支持部材と、支持部材の背面に連設して支持部材を足場の筒状支柱にクランプするクランプ部材と、支持部材の背面に連設して筒状支柱に当接する当接部材とを具備している。
【先行技術文献】
【特許文献】
【０００４】
【特許文献１】実公平７−６３７３
【発明の概要】
【発明が解決しようとする課題】
【０００５】
前記した安全ネット支持アーム体は、クランプ部材を締結・解除操作することで、足場の筒状支柱に取付・解除することができるが、クランプ部材を締結・解除操作する際には、その操作をするための工具（スパナやレンチ等）を必要としている。つまり、足場上で作業する作業者は、外壁工事を行うために必要な工具以外に、クランプ部材を締結・解除操作するための工具も携帯しておく必要性があった。
【０００６】
そこで、本発明は、外壁工事等において使用頻度の高いハンマー等の打撃用工具だけで足場の筒状支柱に取付・解除操作を行うことができる安全ネット支持アーム体を提供することを目的とする。
【課題を解決するための手段】
【０００７】
請求項１記載の発明は、安全ネットを支持するために足場に取り付ける安全ネット支持アーム体であって、上下方向に開口させて足場に突設した係止受け部材に係脱自在に係止するくさび状の係止部材と、係止部材に連設した支持部材と、支持部材に基端部が支持されて安全ネットを直接支持するアーム部材と、支持部材に基端部を連設して筒状支柱に先端部が当接する当接部材とを具備することを特徴とする。
【０００８】
かかる安全ネット支持アーム体では、上下方向に開口している係止受け部材にくさび状の係止部材を係脱自在に係止することができる。この際、くさび状の係止部材は、その頭部をハンマー等の打撃用工具により打撃することで係止受け部材中に圧着させて係止状態に保持させることができる。また、係止受け部材中に圧着された係止部材の圧着を解除する際には、支持部材の下端部を下方から上方へ打撃用工具により打撃することで、支持部材に連設している係止部材を係止受け部材から簡単に圧着解除することができる。
【０００９】
請求項２記載の発明は、請求項１記載の安全ネット支持アーム体であって、係止部材の下端からその直下方に配設した当接部材の中途部までの間隔を係止受け部材の上下幅よりも小となして、係止受け部材と当接部材との干渉を回避すべく、係止受け部材に係止部材の下端部を斜め上方向から嵌入させるとともに、係止部材の軸線方向を係止受け部材の軸線方向と整合させように姿勢変更することで、係止受け部材の直下方位置に当接部材を配置して、かかる状態にて係止受け部材に係止部材の残余部を嵌入させて係止することを特徴とする。
【００１０】
かかる安全ネット支持アーム体では、係止受け部材と当接部材との干渉を回避すべく、係止受け部材に係止部材の下端部を斜め上方向から嵌入させるとともに、係止部材の軸線方向を係止受け部材の軸線方向と整合させように姿勢変更することで、係止受け部材の直下方位置に当接部材を配置しなければ、係止受け部材に係止部材の残余部を嵌入させて係止することができない。
【００１１】
そして、上記とは反対の手順をたどらなければ係止受け部材から係止部材を係止解除することができない。そのため、係止受け部材中に圧着させて係止状態に保持させた係止部材が不慮の事故により圧着解除されたとしても、係止受け部材と当接部材とが干渉して、係止受け部材から係止部材が係止解除されない。つまり、係止受け部材から安全ネット支持アーム体が脱落するという不具合の発生を回避することができる。その結果、安全ネット支持アーム体の脱落を防止することができて、作業現場における安全性を良好に確保することができる。
【００１２】
請求項３記載の発明は、請求項１又は２記載の安全ネット支持アーム体であって、支持部材の背面側に上下方向に軸線を向けた枢軸を枢支し、枢軸に係止部材と当接部材を連設して、支持部材に支持されたアーム部材を枢軸の軸線廻りに姿勢変更可能となしたことを特徴とする。
【００１３】
かかる安全ネット支持アーム体では、支持部材に支持されたアーム部材を枢軸の軸線廻りに姿勢変更することで、アーム部材に直接支持された安全ネットの側縁部と建造物との間隔を適宜調整することができて、その間隔を通して必要部材を通過させることができる。そのため、建設作業能率を向上させることができる。
【発明の効果】
【００１４】
本発明は、次のような効果を奏する。すなわち、本発明では、外壁工事等において使用頻度の高いハンマー等の打撃用工具だけで足場の筒状支柱への安全ネット支持アーム体の取付・解除操作を簡単かつ堅実に行うことができる。そのため、建設作業中に携帯する工具の削減化と軽量化を図ることができる。
【図面の簡単な説明】
【００１５】
【図１】本発明に係る安全ネット支持アーム体の使用状態を示す正面説明図。
【図２】本発明に係る安全ネット支持アーム体の使用状態を示す平面説明図。
【図３】本発明に係る安全ネット支持アーム体の使用姿勢での斜視説明図（足場への取り付け状態）。
【図４】本発明に係る安全ネット支持アーム体の使用姿勢での斜視説明図（足場から取り外し状態）。
【図５】本発明に係る安全ネット支持アーム体の不使用姿勢での斜視説明図（足場への取り付け状態）。
【図６】本発明に係る安全ネット支持アーム体の不使用姿勢での斜視説明図（足場から取り外し状態）。
【図７】安全ネット支持アーム体の足場への取り付け説明図（１）。
【図８】安全ネット支持アーム体の足場への取り付け説明図（２）。
【図９】安全ネット支持アーム体の足場への取り付け正面説明図（ａ）とそのI-I線矢視説明図（ｂ）からなる取り付け説明図（３）。
【図１０】安全ネット支持アーム体の足場への取り付け正面説明図（ａ）とそのII-II線矢視説明図（ｂ）からなる取り付け説明図（４）。
【図１１】安全ネット支持アーム体の足場への取り付け正面説明図（ａ）とそのIII-III線矢視説明図（ｂ）からなる取り付け説明図（５）。
【発明を実施するための形態】
【００１６】
以下に、本発明の実施形態を、図面を参照しながら説明する。
【００１７】
図１及び２に示す１は本発明に係る安全ネット支持アーム体、２は安全ネット支持アーム体１を取り付けた足場、３は建造物の外壁である。建造物の外壁３に近接させて足場２を組み立て、足場２から建造物の外壁３に向けて安全ネット支持アーム体１を片持ち支持し、足場２と建造物の外壁３との間に張設された帯状の安全ネット４を安全ネット支持アーム体１により支持している。
【００１８】
足場２は、図１及び図２に示すように、上下方向に伸延する円筒状の支柱１０を前後左右方向に一定の間隔をあけて立設し、隣接する支柱１０,１０間に前後方向ないしは左右方向に伸延する連結体１１を横架して組み立てている。支柱１０の外周面の前後左右側部にはそれぞれ左右一対の係止受け部材１２,１２と前後一対の係止受け部材１３,１３を突設している。そして、左右一対の係止受け部材１２,１２と前後一対の係止受け部材１３,１３は一ユニットとして、支柱１０の上下伸延方向に一定の間隔を開けて複数ユニット形成している。また、連結体１１は、係止受け部材１２,１２に係脱自在な係止片１６を両端に有している。左右方向に隣接する支柱１０,１０間において、係止受け部材１２,１２に係止片１６,１６を係止することで連結体１１を左右方向に横架している。前後方向に隣接する支柱１０,１０間において、係止受け部材１３,１３に係止片を係止することで連結体１１を前後方向に横架している。
【００１９】
係止受け部材１２は、図４及び図６に示すように、前後対向片１２ａ,１２ａと外側片１２ｂとから平面視コ字状に形成し、支柱１０の外周面に前後対向片１２ａ,１２ａの内側端縁部を連設して、上下開口状態となしている。しかも、前後対向片１２ａ,１２ａは逆台形状に形成して、前後対向片１２ａ,１２ａの斜縁部間に外側片１２ｂを架設状に一体成形することで、外側片１２ｂの上端縁部よりも下端縁部を支柱１０の外周面に近接させている。したがって、係止受け部材１２内に形成される上下開口空間は、上面から下面に漸次収縮する係止受け空間１４となしている。
【００２０】
係止受け部材１３は、図４及び図６に示すように、左右対向片１３ａ,１３ａと外側片１３ｂとから平面視コ字状に形成し、支柱１０の外周面に左右対向片１３ａ,１３ａの内側端縁部を連設して、上下開口状態となしている。しかも、左右対向片１３ａ,１３ａは逆台形状に形成して、左右対向片１３ａ,１３ａの斜縁部間に外側片１３ｂを架設状に一体成形することで、外側片１３ｂの上端縁部よりも下端縁部を支柱１０の外周面に近接させている。したがって、係止受け部材１３内に形成される上下開口空間は、上面から下面に漸次収縮する係止受け空間１５となしている。
【００２１】
安全ネット支持アーム体１は、図３〜図６に示すように、建造物の外壁３側に位置する一方の係止受け部材１２に係脱自在に係止するくさび状の係止部材２０と、係止部材２０に連設した支持部材３０と、支持部材３０に基端部が支持されて安全ネット４を直接支持するアーム部材５０と、支持部材３０に基端部を連設して支柱１０に先端部が当接する当接部材６０とを具備している。
【００２２】
支持部材３０は、支持部材本体３１と枢軸部３２とから形成している。支持部材本体３１は、上下方向に縦長四角形状の対向支持片３３,３４と、対向支持片３３,３４の内側縁部を連設する連設片３５とから平面視コ字状に形成している。対向支持片３３,３４の中途部には上下方向に直状に伸延する案内孔３６,３７を形成している。対向支持片３３,３４の外側縁部の中途部間にはアーム部材支持片３８を架設している。３９は対向支持片３３,３４の上端部から上方へ突設してそれぞれ対向させた一対の係止突片であり、一対の係止突片３９に安全ネット４の側縁部に設けたロープ４ａ（図２参照）を係止するようにしている。
【００２３】
枢軸部３２は、連設片３５の外側面の上下部には上下一対の枢支片４０,４１を対面状態に突設し、両枢支片４０,４１間に上下方向に軸線を向けた円筒状の筒状支軸４２を配置するとともに、両枢支片４０,４１間に筒状支軸４２中を通して締め付けボルト４３を挿通させることにより枢軸を形成している。４３ａはボルト頭部、４３ｂはボルト先端部である。４４は上方の枢支片４０に連設したナットである。
【００２４】
このように構成して、締め付けボルト４３を一方向に回動させて締め付けることにより筒状支軸４２を固定する一方、締め付けボルト４３を逆方向に回動させて緩めることにより筒状支軸４２を締め付けボルト４３廻りに回転自在となすことができるようにしている。したがって、支持部材本体３１を筒状支軸４２の軸線廻りに適宜揺動位置調節するとともに、固定することで支持部材本体３１の姿勢、延いてはアーム部材５０の姿勢を変更することができる。
【００２５】
係止部材２０は、上下方向に伸延する外側面部２１と、外側面部２１の周縁部に沿わせて形成した周縁部２２とから箱状に形成している。外側面部２１は上下方向に伸延する細幅板状に形成するとともに、上部２３を略正八角形状に形成する一方、下端部２４を半円弧状に形成している。周縁部２２の上端面には打撃受け用突片２５を上方へ突設している。周縁部２２の下部は、下方に向けて漸次収縮させて形成して、側面視くさび状となしている。係止部材２０は、筒状支軸４２の外周面の上部に連設突片４５を介して上部２３の内面を連設して、係止部材２０と筒状支軸４２を略平行に対向させている。
【００２６】
当接部材６０は、支柱１０の外周面に当接する当接面部６１と、当接面部６１を支持する支持部６２とから形成している。当接面部６１は、四角形板を支柱１０の外周面に沿わせて湾曲させて形成して、支柱１０の外周面に面接触するようにしている。支持部６２は、筒状支軸４２の下部に一端を連設するとともに、他端を支柱１０の外周面に向けて下り傾斜状に伸延させて当接面部６１の背面に連設している。つまり、支持部６２は当接面部６１を片持ち支持している。そして、支持部６２は係止部材２０の直下方に配置している。
【００２７】
アーム部材５０は、円筒状の基端部側アーム体５１と、基端部側アーム体５１中にスライド自在に挿通した略円筒状の先端部側アーム体５２とから形成して、テレスコ式（伸縮式）となしている。基端部側アーム体５１は、支持部材本体３１の対向支持片３３,３４間に基端部を配置するとともに、案内孔３６,３７間に挿通した枢支軸５３を介して枢支している。そして、枢支軸５３は案内孔３６,３７に沿わせて上下摺動自在となすとともに、任意の位置で締め付け固定可能となしている（本実施形態ではボルト・ナット構造）。また、基端部側アーム体５１の基端部下面は支持部材本体３１のアーム部材支持片３８に上方から当接させている。５４は基端部側アーム体５１中にスライド自在とした先端部側アーム体５２を締め付け固定する調節つまみ付き固定ボルト、５５は先端部側アーム体５２の先端部から上方へ突設してそれぞれ対向させた一対の係止突片であり、一対の係止突片５５に安全ネット４の側縁部に設けたロープ４ａ（図２参照）を係止するようにしている。
【００２８】
このように構成して、枢支軸５３を位置調節することで、アーム部材支持片３８を支点として、アーム部材５０を略水平に張り出させた姿勢と、上方へ跳ね上げた姿勢との間で姿勢変更可能としている。そして、いずれの姿勢においても先端部側アーム体５２を摺動位置調節することで、アーム部材５０を伸縮可能としている。例えば、アーム部材５０を略水平に張り出させるとともに、先端部側アーム体５２を適宜進出させる方向に摺動位置調節した姿勢を標準の使用姿勢とし、アーム部材５０を上方へ跳ね上げるとともに、先端部側アーム体５２を最大限後退させて摺動位置調節した姿勢を標準の収納姿勢とすることができる。また、使用姿勢となした複数のアーム部材５０上間に帯状の安全ネット４を展開状態に配置するとともに、内側のロープ４ａを一対の係止突片３９に係止する一方、外側のロープ４ａを一対の係止突片５５に係止することで、安全ネット４を張設することができる。
【００２９】
ここで、アーム部材５０は、使用姿勢において、適宜伸縮張設することができるとともに、支持部材本体３１を筒状支軸４２の軸線廻りに適宜揺動位置調節することができるため、アーム部材５０を最も収縮させた状態で、支持部材本体３１を前後方向に揺動調節することで、アーム部材５０の先端と建造物の外壁３との間隔を適宜拡大させることができる。そのため、安全ネット４を張設した状態で、安全ネット４の側縁部の一部を揺動調節したアーム部材５０を介して建造物側から離隔させることができて、離隔させた安全ネット４の側縁部の一部と建造物との間に必要な部材を適宜通過させることができる。その結果、安全性を確保したまま建設作業能率を向上させることができる。
【００３０】
図９に示すように、係止部材２０の下端からその直下方に配設した当接部材６０の中途部、つまり、支持部６２の上面中途部６２ａまでの間隔Ｈ１は、係止受け部材１２（１３）の外側片１２ｂ（１３ｂ）の上下幅Ｈ２よりも小となしている。
【００３１】
このように構成することで、足場２に安全ネット支持アーム体１を取り付ける際には、次の手順で取付作業を行うようにしている。なお、以下に係止受け部材１２に安全ネット支持アーム体１の係止部材２０を嵌入させて係止する作業について説明するが、係止受け部材１３についても同様である。
【００３２】
図７に示すように、係止受け部材１２と支持部６２との干渉を回避すべく、係止受け部材１２の係止受け空間１４に係止部材２０の下端部を斜め上方向から嵌入させる。
【００３３】
図８に示すように、係止部材２０の軸線方向を係止受け部材１２の軸線方向（本実施形態では鉛直方向）と整合させように姿勢変更することで、係止受け部材１２の直下方位置に支持部６２の上面中途部６２ａ及び当接面部６１を配置する。
【００３４】
図９に示すように、係止受け部材１２の直下方位置に支持部６２の上面中途部６２ａ及び当接面部６１を配置した後に、当接部材６１を支柱１０の外周面に面接触させる。
【００３５】
図１０に示すように、図９に示す状態にて係止受け部材１２に係止部材２０の残余部を嵌入させる。そして、係止部材２０の上端に突設した打撃受け用突片２５をハンマー等の打撃手段（図示せず）により打撃して、係止受け部材１２にくさび状の係止部材２０を圧着させて堅実に係止する。
【００３６】
また、足場２から安全ネット支持アーム体１を取り外す際には、上記した取り付け手順とは反対の取り外し作業を行う。
【００３７】
すなわち、図１１に示すように、支持部材本体３１の下端をハンマー等の打撃手段により下方から上方へ向けて軽く打撃して、図１０及び図１１に示すように、安全ネット支持アーム体１を上方へわずかに移動させる。この際、支持部６２の上面中途部６２ａが係止受け部材１２に当接したところで、安全ネット支持アーム体１の上方への移動は規制されて、係止受け部材１２の係止受け空間１４に係止部材２０の下端部が嵌入された状態を保つ。続いて、図１１→図９→図８→図７の手順をたどることで、係止受け部材１２から係止部材２０を係止解除して、支柱１０から安全ネット支持アーム体１を取り外す。
【００３８】
このように、本実施形態に係る安全ネット支持アーム体１では、上下方向に開口している係止受け部材１２にくさび状の係止部材２０を係脱自在に係止することができる。この際、くさび状の係止部材２０は、その頭部である打撃受け用突片２５をハンマー等の打撃用工具により打撃することで、係止受け部材１２中に圧着させて係止状態に保持させることができる。また、係止受け部材１２中に圧着された係止部材２０の圧着を解除する際には、支持部材本体３１の下端を下方から上方へ打撃用工具により打撃することで、支持部材本体３１に連設している係止部材２０を係止受け部材１２から簡単に圧着解除することができる。
【００３９】
しかも、安全ネット支持アーム体１では、係止受け部材１２と当接部材６０の支持部６２との干渉を回避すべく、係止受け部材１２の係止受け空間１４に係止部材２０の下端部を斜め上方向から嵌入させるとともに、係止部材２０の軸線方向を係止受け部材１２の軸線方向と整合させように姿勢変更することで、係止受け部材１２の直下方位置に支持部６２及び当接部材を配置しなければ、係止受け部材１２に係止部材２０の残余部を嵌入させて係止することができない。
【００４０】
そして、上記とは反対の手順をたどらなければ係止受け部材１２から係止部材２０を係止解除することができない。そのため、係止受け部材１２中に圧着させて係止状態に保持させた係止部材２０が不慮の事故により圧着解除されたとしても、支持部６２の上面中途部６２ａまでの間隔Ｈ１を係止受け部材１２の外側片１２ｂの上下幅Ｈ２よりも小となしていることから、係止受け部材１２と支持部６２ないしは当接面部６１とが干渉して、係止受け部材１２から係止部材２０が係止解除されない。つまり、係止受け部材１２から安全ネット支持アーム体１が脱落するという不具合の発生を回避することができる。その結果、安全ネット支持アーム体１の脱落を防止することができて、作業現場における安全性を良好に確保することができる。
【符号の説明】
【００４１】
１  安全ネット支持アーム体
２  足場
３  外壁
４  安全ネット
１０  支柱
１１  連結体
１２  係止受け部材
１３  係止受け部材
２０  係止部材
３０  支持部材
５０  アーム部材
６０  当接部材
【図１】
2013036273.tif 000003
【図２】
2013036273.tif 000004
【図３】
2013036273.tif 000005
【図４】
2013036273.tif 000006
【図５】
2013036273.tif 000007
【図６】
2013036273.tif 000008
【図７】
2013036273.tif 000009
【図８】
2013036273.tif 000010
【図９】
2013036273.tif 000011
【図１０】
2013036273.tif 000012
【図１１】
2013036273.tif 000013